(57)【要約】【課題】光源からの光を効率よく所定の方向に出射することで、光源の低消費電力を実現する。【解決手段】光源７からの光が導光板１の入光部４から入射される。入射された光は反射部２で反射されて、導光板１の表面の発光部６から出射される。光源７からの光の一部は、段差部３と入光部４の間の導光部に設けられた反射面５で下方に反射されて、透過することなく反射部２に当たり、反射部２で反射して発光部６から出射される。この傾斜面５を設けることで反射効率を向上した導光板装置が得ることができる。【選択図】図２
2005352342.tif 000002
【特許請求の範囲】
【請求項１】
光源からの光を取り入れる入光部と、
取り入れられた光を出射させる発光部と、
前記入光部からの光を前記発光部に反射させる反射部と、
前記入光部からの光を前記反射面に導く導光部とを有し、
前記導光部は、前記入光部からの光の一部を反射させて前記反射部に導くための傾斜面を備える導光板装置。
【請求項２】
前記導光部は、前記傾斜面により、前記入光部側に比して前記反射部側が薄肉となる請求項１記載の導光板装置。
【発明の詳細な説明】
【技術分野】
【０００１】
本発明は、通過光を低減し、光源からの光を効率よく出射させる導光板装置に関するものである。
【背景技術】
【０００２】
各種機器の表示装置には、表示を見やすくするための光（いわゆるバックライト）を所望の方向に導くための導光板装置が用いられている（例えば、特許文献１）。また、携帯型のＡＶ機器等においては、表示装置として、液晶表示装置が用いられている。その液晶表示装置の輝度を確保するために、光源からの光を液晶表示装置に向けて出射させる導光板装置が用いられている。
【０００３】
この導光板装置は、ＡＶ機器の小型化、薄型化に伴い、光源を導光板の側面に横向きに配置することが多い。図５は、この様な従来の導光板装置の形状を示す側面図である。
【０００４】
図５において、２０が導光板、２１は導光板２０に設けられた反射部、７は光源である。反射部２１は、大きさの異なるものが複数設けられており、図５では、その一部を概念的に示している。
【０００５】
図６は、導光板２０の部分拡大図である。図示するように光源７からの光は反射部２１で反射して、導光板２０の所定の面（図では上面）が発光する。この時の光の軌跡を２２ａ、２２ｂ、２２ｃとして示している。光の軌跡２２ａ，２２ｂは、山形形状の反射部２１で反射し、図の上面方向に出射する。しかし、光の軌跡２２ｃのように、反射部２１に当たることなく透過してしまう場合があり、反射効率が低下する問題があった。
【特許文献１】特開平９−１５２３６０号公報
【発明の開示】
【発明が解決しようとする課題】
【０００６】
従来の導光板装置において、特に導光板側面から光を当てる場合、反射部である断面の山形形状に反射せず通過してしまう光が発生し、反射効率が低下し、表示装置などの機器の前向き方向へ出射する光量が減少するという問題がある。
【０００７】
本発明は、上記課題を解決し、反射効率が良い薄型の導光板装置を提供することを目的とする。
【課題を解決するための手段】
【０００８】
本発明の導光板装置は、光源からの光を取り入れる入光部と、取り入れられた光を出射させる発光部と、入光部からの光を発光部に反射させる反射部と、入光部からの光を反射面に導く導光部とを有し、導光部は、入光部からの光の一部を反射させて反射部に導くための傾斜面を備えるものである。
【発明の効果】
【０００９】
本発明の導光板装置は、光源からの光が導光部に設けられた傾斜面に反射し、反射面に効率的に導かれることにより、反射面に届かず通過光として漏れていた光を減少させることにより、効率的に発光部を照らすことができ、発光部面積の拡大や光源の効率化・低消費電力化を図ることができる。
【発明を実施するための最良の形態】
【００１０】
本発明の請求項１記載の発明は、光源からの光を取り入れる入光部と、取り入れられた光を出射させる発光部と、前記入光部からの光を前記発光部に反射させる反射部と、前記入光部からの光を前記反射面に導く導光部とを有し、前記導光部は、前記入光部からの光を反射させて前記反射部に導くための傾斜面を備えるものである。
【００１１】
また、請求項２記載の発明は、請求項１記載の発明において、前記導光部は、前記傾斜面により、前記入光部側に比して前記反射部側が薄肉となるものである。
【００１２】
以下、本発明の実施の形態について、図面を用いて説明する。
【００１３】
（実施の形態１）
図１は、本発明の実施の形態１による導光板装置の外観を示す斜視図である。
【００１４】
図１において、１は透明パネル等からなる導光板、２は導光板１の裏面に設けられた反射部、３は導光板１の表面に設けられた段差部、４は導光板１の側面に設けられた入光部、５は導光板１の表面に設けられた傾斜面、６は光が出射される発光部である。導光部は、段差部３と入光部４と間で、傾斜面５を有する部分である。また、反射部２は、大きさの異なるものが複数設けられており、図１では、その一部のみを概念的に示している。
【００１５】
図２は、図１に示した導光板１のＡ−Ａでの断面図である。導光板装置として用いる場合は、入光部４に光源７を配して、光を入射する。光源７は、入光部４に対して明暗の差が出ないように複数設けたり、棒状にしたりと様々な形態とすることができる。
【００１６】
図３は、光を反射部２に導くための導光部を拡大したものである。同図において、光源７からの光は、入光部４から導光部に入射され、その一部が傾斜面５で反射して、導光板１の裏面方向に軌跡が変更される。その様子を光の軌跡８として示している。下方に軌跡が修正されることで、導光板１の裏面に設けられた反射部２に照射しやすくなり、その反射光が発光部６から出射される。なお、図示しないが、発光部６側に液晶表示装置などが配置されることになる。
【００１７】
以上のように本実施の形態によれば、入光部４と段差部３の間に傾斜面５を設けた導光部とすることで、従来透過していた光が反射部２に集光可能となるため、反射効率を高めることができる。
【００１８】
なお、本実施の形態において、反射部２の構造は山形形状に限るものではなく、のこぎり歯状であってもよい。また、図４に示す導光板９における反射部１０のような形状であってもよい。要は効率よく発光部６に反射可能な形状、コーティングなど如何なるものでもよい。また、これに併せて、導光板９のように厚みＷを適宜設計すればよい。
【産業上の利用可能性】
【００１９】
本発明にかかる導光板装置は、導光部に傾斜面を設けることにより、薄型構造で光源から光を効率よく機器の前向き方向に出射するので、消費電力の小さなＡＶ機器の表示装置等にも適用できる。
【図面の簡単な説明】
【００２０】
【図１】本発明の実施の形態１による導光板装置の外観を示す斜視図
【図２】同導光板装置の構造を示す断面図
【図３】同導光板装置の導光部の構造を示す概念図
【図４】同導光板装置の他の構造例を示す断面図
【図５】従来の導光板装置の構造を示す側面図
【図６】従来の導光板装置の作用を示す概念図
【符号の説明】
【００２１】
１    導光板
２    反射部
３    段差部
４    入光部
５    反射面
６    発光部
７    光源
【図１】
2005352342.tif 000003
【図２】
2005352342.tif 000004
【図３】
2005352342.tif 000005
【図４】
2005352342.tif 000006
【図５】
2005352342.tif 000007
【図６】
2005352342.tif 000008